(57)【要約】  【課題】  コンテンツ情報の擬装表示をＤＶＤメディア単位で効率的に行うことが可能なＤＶＤ搭載ＨＤＤレコーダを提供する。  【解決手段】  ＤＶＤメディア９１の挿入が検知された場合に、ＤＶＤメディア９１が保持する各種メディア情報を取得し、過去に取得された各種メディア情報のストアデータと比較する。一致するストアデータが存在し、かつ前記ストアデータに擬装コンテンツ情報グループが割り付けられている場合、擬装コンテンツ情報グループを用いてコンテンツ情報の擬装表示を行う。割り付けられた擬装コンテンツ情報グループが存在しない場合、もしくは一致するストアデータが存在しない場合、ＨＤＤ１３に記憶されている未割り付け状態の擬装コンテンツ情報グループよりランダムに選択した擬装コンテンツ情報グループを用いてコンテンツ情報の擬装表示を行う。【選択図】      図１
2007058922.tif 000002
【特許請求の範囲】
【請求項１】
ＤＶＤメディアに記憶されている映像情報の詳細情報と、前記映像情報より抽出した画
像に対して縮小処理を施すことによって作成されるサムネイルと、から構成されるコンテ
ンツ情報を表示するコンテンツ情報表示手段と、
前記ＤＶＤメディアを一意に識別するために、前記ＤＶＤメディアが固有に保持してい
る光学的及び物理的特性をＤＶＤメディア情報として検知するＤＶＤメディア情報検知手
段と、
前記ＤＶＤメディア情報検知手段によって得られた前記ＤＶＤメディア情報をストアデ
ータとしてハードディスクに記憶するストアデータ記憶手段と、
を備えたＤＶＤ搭載ハードディスクレコーダにおいて、
前記ハードディスク或いは前記ＤＶＤメディアに記憶されている前記映像情報から抽出
した前記詳細情報、或いはユーザーが作成した前記詳細情報をもとに虚偽の前記詳細情報
を作成し、作成した虚偽の前記詳細情報を擬装用詳細情報として前記ハードディスクに記
憶する擬装用詳細情報作成手段と、
前記ハードディスク或いは前記ＤＶＤメディアに記憶されている前記映像情報から抽出
した画像、或いはユーザーが作成した画像に対して縮小処理を施すことにより擬装用サム
ネイルを作成し、作成した前記擬装用サムネイルを前記ハードディスクに記憶する擬装用
サムネイル作成手段と、
前記擬装用詳細情報及び前記擬装用サムネイルから構成される擬装コンテンツ情報の一
又は複数を、前記ＤＶＤメディアに対して使用する単位でグループ化し、グループ化した
一又は複数の前記擬装コンテンツ情報を擬装コンテンツ情報グループとして前記ハードデ
ィスクに記憶する擬装コンテンツ情報グループ化手段と、
前記擬装コンテンツ情報グループと前記ストアデータとをユーザーからの指示により一
対一の関係に関連付ける関連付け手段と、
前記ＤＶＤ搭載ハードディスクレコーダの制御部が、前記ＤＶＤメディアに記録されて
いる前記コンテンツ情報の表示指示を受け付けた際に、前記コンテンツ情報の表示内容に
対して擬装を行うかどうかを定めたフラグである擬装フラグを、ユーザーからの指示によ
り設定する擬装フラグ設定手段と、
前記制御部が、前記ＤＶＤメディアに記憶されている前記コンテンツ情報の表示指示を
受け付け、かつ前記擬装フラグが前記擬装フラグ設定手段により有効に設定されている場
合に、前記ＤＶＤメディア情報検知手段を用いて前記ＤＶＤメディア情報を取得し、取得
した前記ＤＶＤメディア情報と一致する、或いは近似である前記ストアデータを検索する
ストアデータ検索手段と、
前記ストアデータ検索手段実施の結果、一致する、或いは近似である前記ストアデータ
が取得され、かつ前記ストアデータに関連付けられている前記擬装コンテンツ情報グルー
プが存在する場合、関連付けられている前記擬装コンテンツ情報グループを用いて、前記
ＤＶＤメディアに記録されているコンテンツ情報の擬装表示を行う擬装コンテンツ情報表
示手段と、
前記ストアデータ検索手段実施の結果、一致する、或いは近似である前記ストアデータ
が取得されなかった場合、或いは、前記ストアデータは取得されたが、取得された前記ス
トアデータに関連付けられている前記擬装コンテンツ情報グループが存在しない場合にお
いて、前記ハードディスクに記憶されており、かつ前記関連付け手段によって関連付けが
行われていない前記擬装コンテンツ情報グループの中から無作為に抽出された前記擬装コ
ンテンツ情報グループを用いて、前記ＤＶＤメディアに記録されているコンテンツ情報の
擬装表示を行う擬装コンテンツ情報自動表示手段と、
前記擬装コンテンツ情報自動表示手段において、前記ハードディスクに記憶されている
選択対象の前記擬装コンテンツ情報グループを予め複数のカテゴリに分割しておき、ユー
ザーが特定の前記カテゴリのみを選択対象として限定することにより、ユーザーが指定し
た特定のカテゴリに含まれる前記擬装コンテンツ情報グループに対してのみ前記無作為の
抽出を行う抽出対象限定手段と、
を備えたことを特徴とするＤＶＤ搭載ハードディスクレコーダ。
【請求項２】
光学記録媒体に記憶されている映像情報の詳細情報と、前記映像情報より抽出した画像
に対して縮小処理を施すことによって作成される代表画像と、から構成されるコンテンツ
情報を表示するコンテンツ情報表示手段と、
前記光学記録媒体を一意に識別するために、前記光学記録媒体が固有に保持している光
学的及び物理的特性を光学記録媒体情報として検知する光学記録媒体情報検知手段と、
前記光学記録媒体情報検知手段によって得られた前記光学記録媒体情報を蓄積情報とし
て記憶部に記憶する蓄積情報記憶手段と、
を備えた外部記録媒体再生機能付き記録再生装置において、
前記記憶部或いは前記光学記録媒体に記憶されている前記映像情報から抽出した前記詳
細情報、或いはユーザーが作成した前記詳細情報をもとに虚偽の前記詳細情報を作成し、
作成した虚偽の前記詳細情報を擬装用詳細情報として前記記憶部に記憶する擬装用詳細情
報作成手段と、
前記記憶部或いは前記光学記録媒体に記憶されている前記映像情報から抽出した画像、
或いはユーザーが作成した画像に対して縮小処理を施すことにより擬装用代表画像を作成
し、作成した前記擬装用代表画像を前記記憶部に記憶する擬装用代表画像作成手段と、
前記擬装用詳細情報及び前記擬装用代表画像から構成される擬装コンテンツ情報の一又
は複数を、前記光学記録媒体に対して使用する単位でグループ化し、グループ化した一又
は複数の前記擬装コンテンツ情報を擬装コンテンツ情報グループとして前記記憶部に記憶
する擬装コンテンツ情報グループ化手段と、
前記擬装コンテンツ情報グループと前記蓄積情報とをユーザーからの指示により一対一
の関係に関連付ける関連付け手段と、
を備えたことを特徴とする外部記録媒体再生機能付き記録再生装置。
【請求項３】
前記ＤＶＤ搭載記憶部レコーダの制御部が、前記光学記録媒体に記録されている前記コ
ンテンツ情報の表示指示を受け付けた際に、前記コンテンツ情報の表示内容に対して擬装
を行うかどうかを定めたフラグである擬装フラグを、ユーザーからの指示により設定する
擬装フラグ設定手段と、
前記制御部が、前記光学記録媒体に記憶されている前記コンテンツ情報の表示指示を受
け付け、かつ前記擬装フラグが前記擬装フラグ設定手段により有効に設定されている場合
に、前記光学記録媒体情報検知手段を用いて前記光学記録媒体情報を取得し、取得した前
記光学記録媒体情報と一致する、或いは近似である前記蓄積情報を検索する蓄積情報検索
手段と、
前記蓄積情報検索手段実施の結果、一致する、或いは近似である前記蓄積情報が取得さ
れ、かつ前記蓄積情報に関連付けられている前記擬装コンテンツ情報グループが存在する
場合、関連付けられている前記擬装コンテンツ情報グループを用いて、前記光学記録媒体
に記録されているコンテンツ情報の擬装表示を行う擬装コンテンツ情報表示手段と、
を備えたことを特徴とする請求項２に記載の外部記録媒体再生機能付き記録再生装置。
【請求項４】
前記蓄積情報検索手段実施の結果、一致する、或いは近似である前記蓄積情報が取得さ
れなかった場合、或いは、前記蓄積情報は取得されたが、取得された前記蓄積情報に関連
付けられている前記擬装コンテンツ情報グループが存在しない場合において、前記記憶部
に記憶されており、かつ前記関連付け手段によって関連付けが行われていない前記擬装コ
ンテンツ情報グループの中から無作為に抽出された前記擬装コンテンツ情報グループを用
いて、前記光学記録媒体に記録されているコンテンツ情報の擬装表示を行う擬装コンテン
ツ情報自動表示手段
を備えたことを特徴とする請求項２または請求項３に記載の外部記録媒体再生機能付き記
録再生装置。
【請求項５】
前記擬装コンテンツ情報自動表示手段において、前記記憶部に記憶されている選択対象
の前記擬装コンテンツ情報グループを予め複数のカテゴリに分割しておき、ユーザーが特
定の前記カテゴリのみを選択対象として限定することにより、ユーザーが指定した特定の
カテゴリに含まれる前記擬装コンテンツ情報グループに対してのみ前記無作為の抽出を行
う抽出対象限定手段
を備えたことを特徴とする請求項２乃至請求項４のいずれかに記載の外部記録媒体再生機
能付き記録再生装置。
【請求項６】
ＤＶＤメディアに記憶されている映像情報の詳細情報と、前記映像情報より抽出した画
像に対して縮小処理を施すことによって作成されるサムネイルと、から構成されるコンテ
ンツ情報を表示するコンテンツ情報表示工程と、
前記ＤＶＤメディアを一意に識別するために、前記ＤＶＤメディアが固有に保持してい
る光学的及び物理的特性をＤＶＤメディア情報として検知するＤＶＤメディア情報検知工
程と、
前記ＤＶＤメディア情報検知工程によって得られた前記ＤＶＤメディア情報をストアデ
ータとしてハードディスクに記憶するストアデータ記憶工程と、
を有する記録再生方法において、
前記ハードディスク或いは前記ＤＶＤメディアに記憶されている前記映像情報から抽出
した前記詳細情報、或いはユーザーが作成した前記詳細情報をもとに虚偽の前記詳細情報
を作成し、作成した虚偽の前記詳細情報を擬装用詳細情報として前記ハードディスクに記
憶する擬装用詳細情報作成工程と、
前記ハードディスク或いは前記ＤＶＤメディアに記憶されている前記映像情報から抽出
した画像、或いはユーザーが作成した画像に対して縮小処理を施すことにより擬装用サム
ネイルを作成し、作成した前記擬装用サムネイルを前記ハードディスクに記憶する擬装用
サムネイル作成工程と、
前記擬装用詳細情報及び前記擬装用サムネイルから構成される擬装コンテンツ情報の一
又は複数を、前記ＤＶＤメディアに対して使用する単位でグループ化し、グループ化した
一又は複数の前記擬装コンテンツ情報を擬装コンテンツ情報グループとして前記ハードデ
ィスクに記憶する擬装コンテンツ情報グループ化工程と、
前記擬装コンテンツ情報グループと前記ストアデータとをユーザーからの指示により一
対一の関係に関連付ける関連付け工程と、
前記ＤＶＤ搭載ハードディスクレコーダの制御部が、前記ＤＶＤメディアに記録されて
いる前記コンテンツ情報の表示指示を受け付けた際に、前記コンテンツ情報の表示内容に
対して擬装を行うかどうかを定めたフラグである擬装フラグを、ユーザーからの指示によ
り設定する擬装フラグ設定工程と、
前記制御部が、前記ＤＶＤメディアに記憶されている前記コンテンツ情報の表示指示を
受け付け、かつ前記擬装フラグが前記擬装フラグ設定工程により有効に設定されている場
合に、前記ＤＶＤメディア情報検知工程により前記ＤＶＤメディア情報を取得し、取得し
た前記ＤＶＤメディア情報と一致する、或いは近似である前記ストアデータを検索するス
トアデータ検索工程と、
前記ストアデータ検索工程実施の結果、一致する、或いは近似である前記ストアデータ
が取得され、かつ前記ストアデータに関連付けられている前記擬装コンテンツ情報グルー
プが存在する場合、関連付けられている前記擬装コンテンツ情報グループを用いて、前記
ＤＶＤメディアに記録されているコンテンツ情報の擬装表示を行う擬装コンテンツ情報表
示工程と、
前記ストアデータ検索工程実施の結果、一致する、或いは近似である前記ストアデータ
が取得されなかった場合、或いは、前記ストアデータは取得されたが、取得された前記ス
トアデータに関連付けられている前記擬装コンテンツ情報グループが存在しない場合にお
いて、前記ハードディスクに記憶されており、かつ前記関連付け工程によって関連付けが
行われていない前記擬装コンテンツ情報グループの中から無作為に抽出された前記擬装コ
ンテンツ情報グループを用いて、前記ＤＶＤメディアに記録されているコンテンツ情報の
擬装表示を行う擬装コンテンツ情報自動表示工程と、
前記擬装コンテンツ情報自動表示工程において、前記ハードディスクに記憶されている
選択対象の前記擬装コンテンツ情報グループを予め複数のカテゴリに分割しておき、ユー
ザーが特定の前記カテゴリのみを選択対象として限定することにより、ユーザーが指定し
た特定のカテゴリに含まれる前記擬装コンテンツ情報グループに対してのみ前記無作為の
抽出を行う抽出対象限定工程と、
を有することを特徴とする記録再生方法。
【請求項７】
光学記録媒体に記憶されている映像情報の詳細情報と、前記映像情報より抽出した画像
に対して縮小処理を施すことによって作成される代表画像と、から構成されるコンテンツ
情報を表示するコンテンツ情報表示工程と、
前記光学記録媒体を一意に識別するために、前記光学記録媒体が固有に保持している光
学的及び物理的特性を光学記録媒体情報として検知する光学記録媒体情報検知工程と、
前記光学記録媒体情報検知工程によって得られた前記光学記録媒体情報を蓄積情報とし
て記憶部に記憶する蓄積情報記憶工程と、
を有する記録再生方法において、
前記記憶部或いは前記光学記録媒体に記憶されている前記映像情報から抽出した前記詳
細情報、或いはユーザーが作成した前記詳細情報をもとに虚偽の前記詳細情報を作成し、
作成した虚偽の前記詳細情報を擬装用詳細情報として前記記憶部に記憶する擬装用詳細情
報作成工程と、
前記記憶部或いは前記光学記録媒体に記憶されている前記映像情報から抽出した画像、
或いはユーザーが作成した画像に対して縮小処理を施すことにより擬装用代表画像を作成
し、作成した前記擬装用代表画像を前記記憶部に記憶する擬装用代表画像作成工程と、
前記擬装用詳細情報及び前記擬装用代表画像から構成される擬装コンテンツ情報の一又
は複数を、前記光学記録媒体に対して使用する単位でグループ化し、グループ化した一又
は複数の前記擬装コンテンツ情報を擬装コンテンツ情報グループとして前記記憶部に記憶
する擬装コンテンツ情報グループ化工程と、
前記擬装コンテンツ情報グループと前記蓄積情報とをユーザーからの指示により一対一
の関係に関連付ける関連付け工程と、
を有することを特徴とする記録再生方法。
【請求項８】
前記ＤＶＤ搭載記憶部レコーダの制御部が、前記光学記録媒体に記録されている前記コ
ンテンツ情報の表示指示を受け付けた際に、前記コンテンツ情報の表示内容に対して擬装
を行うかどうかを定めたフラグである擬装フラグを、ユーザーからの指示により設定する
擬装フラグ設定工程と、
前記制御部が、前記光学記録媒体に記憶されている前記コンテンツ情報の表示指示を受
け付け、かつ前記擬装フラグが前記擬装フラグ設定工程により有効に設定されている場合
に、前記光学記録媒体情報検知工程により前記光学記録媒体情報を取得し、取得した前記
光学記録媒体情報と一致する、或いは近似である前記蓄積情報を検索する蓄積情報検索工
程と、
前記蓄積情報検索工程実施の結果、一致する、或いは近似である前記蓄積情報が取得さ
れ、かつ前記蓄積情報に関連付けられている前記擬装コンテンツ情報グループが存在する
場合、関連付けられている前記擬装コンテンツ情報グループを用いて、前記光学記録媒体
に記録されているコンテンツ情報の擬装表示を行う擬装コンテンツ情報表示工程と、
を有することを特徴とする請求項７に記載の記録再生方法。
【請求項９】
前記蓄積情報検索工程実施の結果、一致する、或いは近似である前記蓄積情報が取得さ
れなかった場合、或いは、前記蓄積情報は取得されたが、取得された前記蓄積情報に関連
付けられている前記擬装コンテンツ情報グループが存在しない場合において、前記記憶部
に記憶されており、かつ前記関連付け工程によって関連付けが行われていない前記擬装コ
ンテンツ情報グループの中から無作為に抽出された前記擬装コンテンツ情報グループを用
いて、前記光学記録媒体に記録されているコンテンツ情報の擬装表示を行う擬装コンテン
ツ情報自動表示工程
を有することを特徴とする請求項７または請求項８に記載の記録再生方法。
【請求項１０】
前記擬装コンテンツ情報自動表示工程において、前記記憶部に記憶されている選択対象
の前記擬装コンテンツ情報グループを予め複数のカテゴリに分割しておき、ユーザーが特
定の前記カテゴリのみを選択対象として限定することにより、ユーザーが指定した特定の
カテゴリに含まれる前記擬装コンテンツ情報グループに対してのみ前記無作為の抽出を行
う抽出対象限定工程
を有することを特徴とする請求項７乃至請求項９のいずれかに記載の記録再生方法。
【発明の詳細な説明】
【技術分野】
【０００１】
本発明は、ＤＶＤ（Digital Versatile Disk）再生機能を備えたＨＤＤ（Hard Disk Dr
ive）レコーダに関するものであり、特にＤＶＤメディア（光学記録媒体）に記憶された
映像情報の内容表示をサムネイル（代表画像）を用いて行うＤＶＤ搭載ＨＤＤレコーダに
おける記録再生方法に関する。
【背景技術】
【０００２】
近年、テレビ等の映像装置において処理されるコンテンツ（番組）の記録および再生を
行うための装置として、記録媒体に光学記録媒体を用いたＤＶＤレコーダ、或いは記録媒
体にハードディスクを用いたＨＤＤレコーダ等の記録再生装置が広く普及している。これ
らの記録再生装置は通常、記録（録画）したコンテンツの情報を簡易にユーザーに提示す
るために、サムネイル表示機能を備えているものが多い。
【０００３】
サムネイル表示機能とは、コンテンツの一部より抽出した画像を縮小変換することによ
りサムネイル（代表画像）を作成し、作成したサムネイルを、コンテンツ一覧画面等にお
いてコンテンツの内容を説明する為に用いる機能である。これにより、ユーザーはコンテ
ンツを再生することなく、コンテンツが含んでいる画像を視認することが可能であり、コ
ンテンツの概要を容易に確認することができる。サムネイルの作成方法としては、例えば
ユーザーがコンテンツ内部の画像を指定して作成する方法、もしくは、記録再生装置がコ
ンテンツ内部からランダムに画像を抽出して作成する方法などがある。
【０００４】
しかしながら従来のサムネイル表示機能においては、コンテンツを再生することなくサ
ムネイルによりその内容の一部が閲覧できるため、個人情報保護の観点からすると好まし
くない場合も存在した。例えばあるユーザーが、ＤＶＤに録画したコンテンツを不特定多
数の他ユーザーに閲覧されたく無い場合、ユーザーはＤＶＤに視聴制限をかける必要があ
る。視聴制限をかけることにより、他ユーザーはコンテンツを再生することが不可能とな
るが、サムネイル表示機能により表示されるサムネイルにより、視聴制限コンテンツの内
容の一部を閲覧することが可能である。このように、従来のサムネイル表示機能は、コン
テンツの内容を簡易に確認できる反面、コンテンツの内容が漏洩しやすいという問題を持
っていた。
【０００５】
上記の問題に関連して特許文献１においては、サムネイルが不用意に提示されることに
より、コンテンツの内容が不用意に不特定多数のユーザーに認識されることを防止できる
状態で各種情報を記録媒体に記録することが可能な情報記録装置及び方法が開示されてい
る。
【０００６】
特許文献１の情報記録装置及び方法は、再生されるべき再生情報を光ディスク等の記録
媒体に記録する再生情報記録手段と、当該再生情報の内容を示す内容情報の提示を制限す
るか否かを少なくとも示す提示制御情報を前記記録媒体に記録する制御情報記録手段と、
を備えることを特徴としている。
【０００７】
特許文献１の発明によれば、記録された提示制御情報に基づいて内容情報の提示を制限
することで、当該再生情報の内容に応じて内容情報の提示を制御することができるため、
内容情報が不用意に不特定多数の他ユーザーに提示されることで再生情報の内容が不用意
に他ユーザーに認識されることを防止することが可能である。
【０００８】
また上記の問題に関連して特許文献２においては、ＨＤＤに記録されているプレイリス
ト（映像データの選択と再生を行う単位）を容易に視聴制限する機能であり、他ユーザー
に見られたくない内容や変更されたくないプレイリストがある場合に、暗証番号を設定し
、その暗証番号を入力しなければ再生できない機能を簡易な操作で再生制御ができるよう
にすることを目的とした記録媒体再生装置が開示されている。
【０００９】
特許文献２の記録媒体再生装置は、記録媒体に記録されている情報のディレクトリごと
の再生の可否を制御する第１の制御情報と、ディレクトリに属する再生リストごとの再生
の可否を制御する第２の制御情報を設定する設定手段と、暗証番号を入力するための入力
手段と、第１の制御情報と第２の制御情報がともに有効であるとき、第１の制御情報と第
２の制御情報のうちの一方の制御情報に対する暗証番号の入力に基づいて、他方の制御情
報に対する暗証番号の入力の要否を判定する判定手段とを備えることを特徴としている。
【００１０】
特許文献２の発明によれば、ユーザーは暗証番号を２度入力する必要が無くなり、操作
性を向上させることが可能である。また、１つの記録媒体を複数のユーザが、相互に機密
性を保持しながら共用することが可能である。
【００１１】
また上記の問題に関連して特許文献３においては、画像データのサムネイルの表示を制
限することができる情報処理装置が開示されている。特許文献３の情報処理装置は、画像
データのアイコンが選択されたとき、設定画面の表示を制御する第１の表示制御手段と、
第１の表示制御手段により表示が制御された設定画面に基づいて、画像データのパスワー
ドを設定する設定手段と、設定手段によりパスワードが設定された画像データのサムネイ
ルの表示を制御する第２の表示制御手段とを備えることを特徴とする。
【００１２】
特許文献３の発明によれば、画像データが選択されたとき、設定画面を表示し、その設
定画面に基づいて、画像データのパスワードを設定し、パスワードが設定された画像デー
タのサムネイルの表示を制御するようにしたので、画像データのサムネイルの表示を制限
することができ、第３者に不正に利用されることを防止することができる。
【００１３】
しかしながら、上記の特許文献１、特許文献２および特許文献３に開示されている発明
においては、視聴制限されているコンテンツのサムネイル表示を無効とすることによりコ
ンテンツ情報の漏洩を防止することはできるが、視聴制限を行っているという情報は他ユ
ーザーに対して知られてしまう。このため、コンテンツの情報漏洩を防ぐと共に視聴制限
を行っていること自体を他ユーザーに知られたくない場合には、守秘性能としては不十分
であるという問題があった。
【特許文献１】特開２００３−１７９８７８号公報
【特許文献２】特開２００３−１２３３８９号公報
【特許文献３】特開２００１−２１５９４６号公報
【発明の開示】
【発明が解決しようとする課題】
【００１４】
本発明は、上記の問題を解決するためになされたものであって、その目的は、ＤＶＤメ
ディアに記録されているコンテンツ情報がサムネイル表示により不特定多数のユーザーに
対して漏洩するのを防ぐとともに、前記の漏洩防止対策を行っていること自体も他ユーザ
ーに対して認識されることなく、かつＤＶＤメディア単位で漏洩防止対策用の擬装情報を
ユーザーが設定することが可能なＤＶＤ搭載ＨＤＤレコーダを提供することにある。
【課題を解決するための手段】
【００１５】
上記目的を達成するために本発明のＤＶＤ搭載ＨＤＤレコーダは、
光学記録媒体に記憶されている映像情報の詳細情報と、前記映像情報より抽出した画像
に対して縮小処理を施すことによって作成される代表画像と、から構成されるコンテンツ
情報を表示するコンテンツ情報表示手段と、
前記光学記録媒体を一意に識別するために、前記光学記録媒体が固有に保持している光
学的及び物理的特性を光学記録媒体情報として検知する光学記録媒体情報検知手段と、
前記光学記録媒体情報検知手段によって得られた前記光学記録媒体情報を蓄積情報とし
て記憶部に記憶する蓄積情報記憶手段と、
を備えた外部記録媒体再生機能付き記録再生装置において、
前記記憶部或いは前記光学記録媒体に記憶されている前記映像情報から抽出した前記詳
細情報、或いはユーザーが作成した前記詳細情報をもとに虚偽の前記詳細情報を作成し、
作成した虚偽の前記詳細情報を擬装用詳細情報として前記記憶部に記憶する擬装用詳細情
報作成手段と、
前記記憶部或いは前記光学記録媒体に記憶されている前記映像情報から抽出した画像、
或いはユーザーが作成した画像に対して縮小処理を施すことにより擬装用代表画像を作成
し、作成した前記擬装用代表画像を前記記憶部に記憶する擬装用代表画像作成手段と、
前記擬装用詳細情報及び前記擬装用代表画像から構成される擬装コンテンツ情報の一又
は複数を、前記光学記録媒体に対して使用する単位でグループ化し、グループ化した一又
は複数の前記擬装コンテンツ情報を擬装コンテンツ情報グループとして前記記憶部に記憶
する擬装コンテンツ情報グループ化手段と、
前記擬装コンテンツ情報グループと前記蓄積情報とをユーザーからの指示により一対一
の関係に関連付ける関連付け手段と、
を備えたことを特徴としている。
【００１６】
この構成によると、ユーザーは擬装コンテンツ情報作成画面において、擬装コンテンツ
情報の作成処理を行うことが可能である。擬装コンテンツ情報作成画面では、ＤＶＤメデ
ィアより読み取ったデータをもとに擬装用サムネイルを作成し、擬装用サムネイルに虚偽
の録画情報を付加することにより、擬装コンテンツ情報を作成することが可能である。さ
らに、一又は複数の擬装コンテンツ情報から擬装コンテンツ情報グループを作成すること
が可能である。ストアデータ（蓄積情報）と、擬装コンテンツ情報グループとを関連付け
ることにより、特定の擬装コンテンツ情報グループを特定のＤＶＤメディアの擬装表示に
使用するように指定することが可能である。
【００１７】
また、上記目的を達成するために本発明のＤＶＤ搭載ＨＤＤレコーダは、
前記ＤＶＤ搭載記憶部レコーダの制御部が、前記光学記録媒体に記録されている前記コ
ンテンツ情報の表示指示を受け付けた際に、前記コンテンツ情報の表示内容に対して擬装
を行うかどうかを定めたフラグである擬装フラグを、ユーザーからの指示により設定する
擬装フラグ設定手段と、
前記制御部が、前記光学記録媒体に記憶されている前記コンテンツ情報の表示指示を受
け付け、かつ前記擬装フラグが前記擬装フラグ設定手段により有効に設定されている場合
に、前記光学記録媒体情報検知手段を用いて前記光学記録媒体情報を取得し、取得した前
記光学記録媒体情報と一致する、或いは近似である前記蓄積情報を検索する蓄積情報検索
手段と、
前記蓄積情報検索手段実施の結果、一致する、或いは近似である前記蓄積情報が取得さ
れ、かつ前記蓄積情報に関連付けられている前記擬装コンテンツ情報グループが存在する
場合、関連付けられている前記擬装コンテンツ情報グループを用いて、前記光学記録媒体
に記録されているコンテンツ情報の擬装表示を行う擬装コンテンツ情報表示手段と、
を備えたことを特徴としている。
【００１８】
この構成によると、
ユーザーよりＤＶＤメディアに記録されているコンテンツ情報の表示指示を受けた場合
に、記録再生装置の設定情報を参照し、コンテンツ情報の擬装フラグのＯＮ／ＯＦＦを確
認する。擬装フラグがＯＦＦに設定されている場合、通常通りのコンテンツ情報表示を行
う。擬装フラグがＯＮに設定されている場合、検知したＤＶＤのＤＶＤメディア情報（製
造メーカー、容量、反射率、型番等）と、蓄積されているストアデータ（過去に検知され
たＤＶＤメディア情報の蓄積情報）とを比較し、一致する、あるいは近似であるストアデ
ータがあるかの確認を行う。一致する、或いは近似であるストア情報があり、かつそのス
トアデータに関連付けられている擬装コンテンツ情報グループが存在する場合、関連付け
られている擬装コンテンツ情報グループを用いて、ＤＶＤメディアのコンテンツ情報の擬
装表示を行う。
【００１９】
また、上記目的を達成するために本発明のＤＶＤ搭載ＨＤＤレコーダは、
前記蓄積情報検索手段実施の結果、一致する、或いは近似である前記蓄積情報が取得さ
れなかった場合、或いは、前記蓄積情報は取得されたが、取得された前記蓄積情報に関連
付けられている前記擬装コンテンツ情報グループが存在しない場合において、前記記憶部
に記憶されており、かつ前記関連付け手段によって関連付けが行われていない前記擬装コ
ンテンツ情報グループの中から無作為に抽出された前記擬装コンテンツ情報グループを用
いて、前記光学記録媒体に記録されているコンテンツ情報の擬装表示を行う擬装コンテン
ツ情報自動表示手段
を備えたことを特徴としている。
【００２０】
この構成によると、取得されたＤＶＤメディア情報に一致する、或いは近似であるスト
アデータに擬装コンテンツ情報グループが関連付けらていない場合、または一致する、或
いは近似であるストアデータが存在しない場合において、ＨＤＤに記憶されている全擬装
コンテンツ情報グループであり、かつストアデータに関連付けが行われていない擬装コン
テンツ情報グループの中からランダムに選ばれた擬装コンテンツ情報グループを用いて、
ＤＶＤメディアのコンテンツ情報の擬装表示を行う。
【００２１】
また、上記目的を達成するために本発明のＤＶＤ搭載ＨＤＤレコーダは、
前記擬装コンテンツ情報自動表示手段において、前記記憶部に記憶されている選択対象
の前記擬装コンテンツ情報グループを予め複数のカテゴリに分割しておき、ユーザーが特
定の前記カテゴリのみを選択対象として限定することにより、ユーザーが指定した特定の
カテゴリに含まれる前記擬装コンテンツ情報グループに対してのみ前記無作為の抽出を行
う抽出対象限定手段
を備えたことを特徴としている。
【００２２】
この構成によると、擬装コンテンツ情報グループを予め複数のカテゴリに区分けしてお
き、擬装コンテンツ情報グループがランダムに選択される際に選択対象となるカテゴリを
限定する。これにより、限定されたカテゴリに含まれている擬装コンテンツ情報グループ
のみが選択対象となるため、例えば特定のジャンルの擬装コンテンツ情報グループのみを
選択対象とすることができる。
【発明の効果】
【００２３】
本発明の第一の構成によれば、コンテンツ情報が他ユーザーに知られたくない場合に、
擬装が行われていることを認識されることなくコンテンツ情報の漏洩を防ぎ、個人情報の
保護を行うことが可能である。また、ユーザーは擬装コンテンツ情報をＤＶＤメディア単
位で作成し、かつＤＶＤメディアに擬装コンテンツ情報を記憶する必要がない。このため
、例えば書き込みが不可能なＤＶＤメディアにおいても、擬装表示を行うことが可能であ
る。また例えば、擬装を行うＤＶＤメディアの数が１００枚を越えるような膨大な数であ
る場合においても、一つ一つのＤＶＤメディアに対して擬装処理を施す必要がない。擬装
の実施、未実施の選択はＤＶＤ搭載ハードディスクレコーダ側の設定により行うため、ユ
ーザーにとって少ない作業量でコンテンツ情報の擬装を行うことができる。また、擬装コ
ンテンツ情報グループを用いれば、ＤＶＤメディアに対して擬装を行う際に、コンテンツ
単位で擬装コンテンツ情報を一つ一つ指定する必要がなく、一つの擬装コンテンツ情報グ
ループを指定するだけで、ＤＶＤメディアに記録されている全コンテンツに対する擬装用
コンテンツ情報を設定することが可能となる。
【００２４】
また、本発明の第二の構成によれば、擬装フラグが有効になっている状態でコンテンツ
情報の表示を指示された場合に、検知したＤＶＤメディア情報と、蓄積されているストア
データとを比較し、一致する、あるいは近似であるストアデータがある場合に、そのスト
アデータに割り付けられている（関連付けられている）擬装コンテンツ情報グループを用
いて、ＤＶＤメディアのコンテンツ情報の擬装表示を行う。これにより、ユーザーは予め
ＤＶＤメディア単位で、どの擬装コンテンツ情報グループを使用して擬装を行うかを、予
め指定することができる。また、指定された擬装コンテンツ情報グループが存在しない場
合でも、検知されたＤＶＤメディアと酷似するストアデータを検索し、それを元に擬装コ
ンテンツ情報グループを自動的に選択するため、擬装が発覚する恐れが低い擬装処理を行
う事が可能である。
【００２５】
また、本発明の第三の構成によれば、擬装フラグが有効になっている状態でコンテンツ
情報の表示を指示された場合に、検知したＤＶＤメディア情報に割り付けられている擬装
コンテンツ情報グループが存在せず、かつ検知したＤＶＤメディア情報に酷似するストア
データが存在しない場合において、ＨＤＤの記憶領域より割り付けが行われていない擬装
コンテンツ情報グループをランダムに選択して自動的に割り付けを行う。このため、ユー
ザーが随時指定を行い、割り付けの設定を行う必要がなく、ユーザーにとっての利便性が
向上する。
【００２６】
また、本発明の第四の構成によれば、上記三の構成においてランダムに選択を行う場合
において、あらかじめ擬装コンテンツ情報グループををランダムに選択する範囲（カテゴ
リ）を限定することができる。これにより、実際にＤＶＤメディアに記録されているコン
テンツ情報と類似する内容（カテゴリ）の擬装コンテンツ情報グループに限定したランダ
ム選択が行うことが可能であるため、より擬装が発覚する恐れが低い擬装処理を行うこと
が可能となる。
【発明を実施するための最良の形態】
【００２７】
本発明の実施の一形態について、図面に基づいて説明すれば、以下の通りである。
［実施の形態］
〈１．ＤＶＤ搭載ＨＤＤレコーダの内部構成について〉
ここで、本発明の第一の実施形態におけるＤＶＤ搭載ＨＤＤレコーダ１の電気回路シス
テムの要部構成を、図４のブロック図を用いながら説明する。
【００２８】
図４のブロック図に示すように、本発明のＤＶＤ搭載ＨＤＤレコーダ１は、少なくとも
、制御部１１、メモリ１２、ＨＤＤ１３、データ入力部１４、エンコーダ部１５、デコー
ダ部１６、データ出力部１７、制御プログラム記憶部１８、操作ボタン群２１、フロント
パネル２２、およびＤＶＤスロット２３を含むように構成されている。
【００２９】
制御部１１は、ＤＶＤ搭載ＨＤＤレコーダ１の各部材の駆動を有機的に制御することに
より映像情報処理（コンテンツの録画、或いは再生等）を統括制御するための中央処理装
置である。また制御部１１は、各装置（例えばＨＤＤ１３等）の制御やデータの計算、加
工処理等を行なう中枢部分となっている。
【００３０】
メモリ１２は、ＤＶＤ搭載ＨＤＤレコーダ１が保持する各種データを一時的に記憶する
媒体であり、例えば書込可能なＲＡＭ（Random Access Memory）等により構成されている
。メモリ１２は、例えば制御部１１によって各種情報処理が行われる際の処理データや、
ユーザーから受けた指示命令等を一時的に記憶しておくためのバッファメモリとしての役
割を持つ。
【００３１】
ＨＤＤ１３は、ＤＶＤ搭載ＨＤＤレコーダ１が保持する各種データ（映像情報、コンテ
ンツ情報等）を記録するための磁気記憶媒体である。なお、ＨＤＤ１３は、複数の領域（
パーティション）に物理的に分割することが可能であり、記憶するデータの種別（映像情
報、コンテンツ情報等）に応じて領域別に記憶することがより望ましい。
【００３２】
データ入力部１４は、例えばデジタルチューナーなどの外部装置からデジタルデータ（
映像情報）を入力するための入力インタフェースである。また、例えばアナログデータを
入力する場合は、Ａ／Ｄコンバータ（Analog Digital Converter）を用いてアナログの映
像データおよび音声データをデジタルデータに変換して入力することが可能である。
【００３３】
エンコーダ部１５は、映像データをＭＰＥＧ２等の動画圧縮方式により圧縮（エンコー
ド）を行ったり、音声データをＤｏｌｂｙ  ＡＣ−３やＬＰＣＭ等の音声圧縮方式により
圧縮を行うための処理回路である。なお、圧縮を行うデータとしては、例えばデータ入力
部１４より入力された映像データおよび音声データ等が対象となる。
【００３４】
デコーダ部１６は、前記エンコーダ部１５等により圧縮された映像データおよび音声デ
ータを伸長（デコード）するための処理回路である。伸張が行われたデータは、例えば後
述するデータ出力部１７等を用いて外部機器に対して出力される。
【００３５】
データ出力部１７は、例えばモニターなどの外部装置に対して映像データおよび音声デ
ータを出力するための出力インタフェースである。なお、例えば出力先の機器がアナログ
インタフェースしか備えていない場合は、Ｄ／Ａコンバータ（Digital Analog Converter
）を用いてデジタルの映像データおよび音声データをアナログデータに変換して出力する
ことが可能である。
【００３６】
制御プログラム記憶部１８は、例えば制御部１１を用いた各種処理（例えば映像データ
の入出力制御等）を行うためのプログラムデータを記憶するための媒体であり、例えば情
報の読み出しのみが可能なＲＯＭ（Read Only Memory）等が用いられる。
【００３７】
操作ボタン群２１は、ユーザーが番組の録画および録画予約等の各種指示をＤＶＤ搭載
ＨＤＤレコーダ１に対して行なうための入力インターフェースである。フロントパネル２
２は、ＤＶＤ搭載ＨＤＤレコーダ１の各種情報をユーザーに対して表示するためのユーザ
ーインタフェースである。
【００３８】
ＤＶＤスロット２３は、ＤＶＤメディア９１を格納し、ＤＶＤメディア９１に対して光
学的に各種データの読み込み、または書き込みを行うための光学装置である。なお、ＤＶ
Ｄには複数の規格が存在するため、ＤＶＤスロット２３の規格に準拠したＤＶＤメディア
９１を使用しなければ、各種処理（録画、再生等）を行うことができない。
〈２．擬装コンテンツ情報表示工程について〉
ここで、本発明のＤＶＤ搭載ＨＤＤレコーダ１における擬装サムネイル表示処理の処理
工程を、図１及び図２のフロー図と、図４のブロック図と、図５の画面図と、図６から図
８のテーブル図とを用いながら説明する。
【００３９】
図１に示すように、制御部１１がユーザーより、ＤＶＤメディア９１に記録されている
コンテンツ情報の表示指示を検知することにより本処理が開始される（Ｓ１１０）。なお
、コンテンツ情報表示指示は、例えばユーザーが操作ボタン群２１を用いてコンテンツ一
覧画面の表示操作等を行なった場合や、ＤＶＤメディア９１がＤＶＤスロット２３に挿入
された場合のメディア検知処理等により発行される。
【００４０】
ユーザーよりコンテンツ情報表示指示を受けた制御部１１は、ＤＶＤスロット２３に格
納されているＤＶＤメディア９１のメディア情報の読み込みを行う（Ｓ１２０）。メディ
ア情報とは、例えばＤＶＤスロット２３に格納されているメディアの製造メーカー、記憶
容量、録画用途、型番等であり、メディア製造時よりメディア単位で固有に保持している
情報である。読み込まれたメディア情報は、制御部１１により、ＨＤＤ１３（或いはメモ
リ１２）に記憶される（Ｓ１３０）。
【００４１】
次に制御部１１は、ＤＶＤメディア９１より、メディア反射率の読み込みを行う（Ｓ１
４０）。ＤＶＤ等の光学メディアにおいては、メディア反射率により、メディアの規格を
判別することが可能である。このため、読み込まれたメディア反射率により、例えばＤＶ
Ｄスロット２３に格納されているメディアが、ＤＶＤ−Ｒ（DVD-Recordable）であるか、
それともＤＶＤ−ＲＷ（DVD-ReWritable）であるか、それともＣＤ−Ｒ(Compact Disc Re
cordable)であるか等を、判別することが可能である。読み込まれたメディア反射率は、
制御部１１により、ＨＤＤ１３（或いはメモリ１２）に記憶される（Ｓ１５０）。
【００４２】
次に制御部１１は、ＤＶＤメディア９１より、メディア付加情報の検知を行う（Ｓ１６
０）。メディア付加情報とは、例えばフォーカスサーチ(光学レンズのアップダウン)時に
発生する各種電圧データ（ボトム電圧、ピーク電圧）、メディアに記録されているタイト
ル及びチャプター数、或いは回転数（一定のスピードで回した時、どれだけ回転するかを
示す値）等の、メディアに関する副次的な情報である。検知されたメディア付加情報は、
制御部１１によりＨＤＤ１３（或いはメモリ１２）に記憶される（Ｓ１７０）。
【００４３】
上記Ｓ１２０からＳ１７０の処理によって各種情報の読み取り及び記憶を完了した制御
部１１は、ＨＤＤ１３（もしくはメモリ１２）に記憶されているＨＤＤレコーダ１の設定
情報を参照し、設定情報の中からコンテンツ情報擬装フラグ（コンテンツ情報の表示内容
に対して擬装を行うかどうかを定めたフラグ）のＯＮ／ＯＦＦ設定状態を確認する（Ｓ１
８０）。擬装フラグがＯＦＦに設定されている場合、通常通りのコンテンツ情報表示を行
う（Ｓ１８５）。なお、通常通りのコンテンツ情報表示処理は従来技術と同様であるため
、ここでは説明を省略する。
【００４４】
上記Ｓ１２０において、擬装フラグがＯＮに設定されていた場合、制御部１１はＨＤＤ
１３より、ストアデータ（過去に認識を行ったメディアより検知したメディア情報、反射
率、メディア付加情報から構成される蓄積情報）を読み出す（Ｓ１９０）。そして読み出
したストアデータに含まれるメディア情報と、前記Ｓ１２０において読み出されたメディ
ア情報とを比較し、一致する（或いは近似である）メディア情報を保持するストアデータ
があるかどうかの確認を行う（Ｓ２００）。一致する（或いは近似である）メディア情報
を保持するストアデータがある場合、次の処理に移行する。一致する（或いは近似である
）情報がない場合、後述するＳ４１０に移行する。
【００４５】
次に制御部１１は、前記Ｓ２００においてメディア情報が一致したストアデータに対し
て、前記ストアデータが保持する反射率と、前記Ｓ１４０において読み出された反射率と
を比較し、同等の値であるかどうかの確認を行う（Ｓ２１０）。同等であるストアデータ
を保持するストアデータがある場合、次の処理に移行する。一致する情報がない場合、後
述するＳ４１０に移行する。
【００４６】
次に制御部１１は、前記Ｓ２１０において反射率が同等であると判断されたストアデー
タに対して、前記ストアデータが保持する付加情報と、前記Ｓ１６０において読み出され
た付加情報とを比較し、一致する（或いは近似である）付加情報があるかどうかの確認を
行う（Ｓ２２０）。一致する（或いは近似である）付加情報がある場合、次の処理に移行
する。一致する（或いは近似である）情報がない場合、後述するＳ４１０に移行する。
【００４７】
上記Ｓ２００からＳ２２０の処理において各種メディア情報の比較を行うことにより、
ＤＶＤスロット２３に格納されたＤＶＤメディア９１が持つ各種メディア情報と一致（も
しくは近似）のストアデータが選出される。制御部１１は、選出されたストアデータに対
して、予めユーザーが作成し、かつＨＤＤ１３に記憶している擬装コンテンツ情報グルー
プ（複数の擬装コンテンツ情報を、ＤＶＤメディア単位でまとめることにより作成した擬
装情報）が、割り付けられているかどうかを確認する（Ｓ２３０）。
【００４８】
割り付けられていると判断された場合、割り付けられている擬装コンテンツ情報グルー
プを用いて、コンテンツ情報の擬装表示を行う（Ｓ２４０）。例えば図６に示すようにス
トアデータが四件存在し、かつ図７に示すように三件のストアデータがそれぞれ擬装コン
テンツ情報グループ（この例では「山」、「川」、「海」に関する擬装コンテンツ情報グ
ループ）に割り付けられているとする。そして上記Ｓ２００からＳ２２０の処理において
選出されたストアデータがストアデータ２である場合、図７のテーブルより、擬装コンテ
ンツ情報のＮｏ.３（「海」に関する擬装コンテンツ情報グループ）を用いて、コンテン
ツ情報の擬装表示が行われる。
【００４９】
逆に、割り付けられていないと判断された場合、ＤＶＤメディア９１の各種メディア情
報に最も近似であるストアデータであり、かつ擬装コンテンツ情報グループが割り付けら
れているストアデータを選出する（Ｓ３１０）。そして、選出されたストアデータに割り
付けられている擬装コンテンツ情報グループを用いて、コンテンツ情報の擬装表示が行わ
れる（Ｓ３２０）。例えば図６及び図７に示す状態において、上記Ｓ２００からＳ２２０
の処理において選出されたストアデータがストアデータ４であったとする。この場合、ス
トアデータＮｏ.４に割り付けられている擬装コンテンツ情報グループは存在しない。そ
こで、ストアデータＮｏ.４に最も近似の値を持ち、かつ割り付けが行われているストア
データを検索する。検索の結果、ストアデータＮｏ.３が最も近似であると判断されたと
する。この場合、ストアデータＮｏ.３に割り付けられている擬装コンテンツ情報である
擬装コンテンツ情報Ｎｏ.２（「山」に関する擬装コンテンツ情報グループ）を用いて、
コンテンツ情報の擬装表示が行われる。
【００５０】
なお、前記Ｓ２００からＳ２２０の処理において、ＤＶＤメディア９１の各種情報に一
致するストアデータがないと判断された場合は、ユーザーが設定したシャッフル（ランダ
ム選択）用擬装コンテンツ情報グループを読み込む（Ｓ４１０）。シャッフル用擬装コン
テンツ情報グループとは、特定のストアデータに割り付けられることがユーザーにより指
定されていない擬装コンテンツ情報グループである。
【００５１】
制御部１１は、読み込んだシャッフル用擬装コンテンツ情報グループより、現在ストア
データに割り当てられていない擬装コンテンツ情報グループをランダムに一つ選択する（
Ｓ４２０）。例えば図８に示す例では、五つのシャッフル用擬装コンテンツ情報グループ
のうち、「乗り物」及び「旅行」に関する擬装コンテンツ情報グループが、既にストアデ
ータに割り当てられている。このため、残る「外食」、「雑学」、及び「ドラマ」の擬装
コンテンツ情報グループが、シャッフルの対象となる。
【００５２】
制御部１１は、シャッフルにより決定された擬装コンテンツ情報グループを用いてコン
テンツ情報の擬装表示を行う（Ｓ３４０）。なお、シャッフルにより選択されたた擬装コ
ンテンツ情報グループは、全シャッフル用擬装コンテンツ情報グループが割り付けに使用
されるまで、再度使用されることはない。また、全シャッフル用擬装コンテンツ情報グル
ープが割り付けに使用された場合、前回の使用履歴（どの順番でグループ内の擬装コンテ
ンツ情報グループが使用されたか）を参照し、前回と同様の順番で擬装コンテンツ情報グ
ループの使用を行うことも可能である。
【００５３】
また、シャッフル用擬装コンテンツ情報グループ以外に、ストアデータ未割り付け状態
の擬装コンテンツ情報グループ（例えば図７に示す「湖」、「山」に関する擬装コンテン
ツ情報グループ）等を、シャッフル対象に含めることも可能である。また、シャッフル用
擬装コンテンツ情報グループをジャンル等によりグループ化し、ユーザーが指定したグル
ープに限定してシャッフルを行う（例えば、自動車と飛行機に関連する擬装コンテンツ情
報グループだけを選択対象としてシャッフルする等）ことも可能である。
【００５４】
以上の処理によって表示される擬装コンテンツ情報の表示例を、図５を用いて説明する
。図５（ａ）は、実際にＤＶＤメディア９１に記録されているコンテンツ情報を用いてコ
ンテンツの内容を表示した画面である。これに対し図５（ｂ）は、本発明によって作成さ
れる擬装コンテンツ情報を用いてコンテンツの内容を表示した画面である。擬装フラグが
ＯＦＦの場合は図５（ａ）が、擬装フラグがＯＮの場合は図５（ｂ）が表示される。
【００５５】
図５（ａ）では、サムネイルに鹿や羊等が表示されており、動物に関するコンテンツで
あることが確認できる。これに対して、図５（ｂ）では、サムネイルに船や自動車等が表
示されており、乗り物に関するコンテンツであることが確認できる。しかし実際にＨＤＤ
１３に記録されているコンテンツは図５（ａ）に示すように動物に関するコンテンツであ
る。
【００５６】
なお、擬装コンテンツ情報が表示されているコンテンツ（例えば図５（ｂ）のサムネイ
ル画像Ａ（船）により示されるコンテンツ）に対して再生処理或いは編集処理等の指示が
なされた場合、擬装が発覚してしまう可能性がある。この場合の対処方法としては、例え
ば視聴不可の警告を表示したり、或いはデータ破損の虚偽情報を提示する等の対応処理を
行うことが望ましい。また或いは、予めＨＤＤ１３にユーザーが記憶させておいた擬装用
コンテンツ（この例では船に関するコンテンツ）を再生することにより、コンテンツ情報
だけではなく、コンテンツ内部の擬装を行っても良い。
【００５７】
また、擬装フラグがＯＮの状態において、ＨＤＤ１３及びＤＶＤメディア９１に記憶さ
れている情報の更新処理を制限する機能が備わっていることが望ましい。例えば、擬装コ
ンテンツ情報を用いた擬装表示が行われている状態において、ＤＶＤメディア９１のフォ
ーマット、あるいは映像情報の編集、削除といった処理が行われると、コンテンツ情報と
記憶データに不整合が発生する。このため、擬装表示の実施中に、ＤＶＤメディア９１の
記憶データに対して更新を行う処理命令を受けた場合は、例えば警告を表示する等により
、実施不可とすることがより望ましい。
【００５８】
また、擬装フラグがＯＮの状態のまま、擬装表示を通常表示に戻す機能が備わっている
ことが好ましい。この場合、擬装表示の解除方法としては、パスワードの入力や、予め定
められた一定の入力操作（例えば、再生キーの長押し等）により行われる。パスワードの
入力画面を他ユーザーに認識されたくない場合は、ユーザー設定により、パスワード入力
画面を非表示にすることも可能である。また、一定の操作を行うことによりパスワード入
力画面が表示される等の、二重認証処理により擬装解除を行う方法も可能である。
〈３．擬装コンテンツ情報作成工程について〉
ここで、本発明のＤＶＤ搭載ＨＤＤレコーダ１における擬装コンテンツ情報作成処理の
処理工程を、図３のフロー図と、図４のブロック図と、図５の画面図と、図６から図８の
テーブル図とを用いながら説明する。
【００５９】
図３に示すように、制御部１１がユーザーからの擬装コンテンツ情報作成指示を検知す
ることにより、本処理が開始される（Ｓ５１０）。なお、擬装コンテンツ情報作成指示は
、例えばユーザーが操作ボタン群２１を用いて擬装コンテンツ情報作成操作を行なった場
合等に発行される。
【００６０】
ユーザーより擬装コンテンツ情報作成指示を受けた制御部１１は、ユーザーに対して、
擬装コンテンツ情報に使用する擬装用サムネイルを作成するためのＤＶＤメディア９１を
ＤＶＤスロット２３に挿入するように指示を行う（Ｓ５２０）。ユーザーによりＤＶＤメ
ディア９１が挿入されると、制御部１１は挿入されたＤＶＤメディア９１の認識を行い、
情報の読み込みが可能であるかどうかを判断する（Ｓ５３０）。読み込みが不可能である
と判断された場合は、再度Ｓ５２０に移行する。読み込みが可能であると判断された場合
は、次の処理に移行する。
【００６１】
制御部１１は、ＤＶＤメディア９１より読み込んだ情報をもとに、擬装コンテンツ情報
作成画面を表示し、ユーザーからの作成指示を待ち受ける（Ｓ５４０）。擬装コンテンツ
情報作成画面では、例えばＤＶＤメディア９１より読み込んだコンテンツのサムネイルが
複数表示されており、その中から任意の擬装用サムネイルを選択することが可能である。
ユーザーは選択された擬装用サムネイルに対し、虚偽の録画情報（虚偽の録画日時、録画
モード、録画チャネル等）を付加することにより、擬装コンテンツ情報を作成することが
可能である。なお、選択した擬装用サムネイルおよび作成した擬装用詳細情報は、本処理
終了後も再度繰り返し使用することを前提として、ＨＤＤ１３に記憶することが可能であ
る。この場合、通常のコンテンツ情報を記憶するコンテンツ情報記憶領域とは物理的に分
割された領域である擬装コンテンツ情報記憶領域に記憶することも可能である。
【００６２】
ユーザーにより擬装コンテンツ情報が作成されたことを検知した制御部１１は、ユーザ
ーに対して、作成した擬装コンテンツ情報を保存するかどうかの確認を行う（Ｓ５５０）
。保存しないと選択された場合、Ｓ５４０に移行し、擬装コンテンツ情報作成画面を表示
する。保存することが選択された場合、制御部１１はユーザーに対して保存エリアの選択
を要求する（Ｓ５６０）。これにより例えばユーザーは、作成した擬装コンテンツ情報を
ＨＤＤ１３のコンテンツ情報記憶領域に記憶するか、それとも擬装コンテンツ情報記憶領
域に記憶するかを選択することが可能となる。
【００６３】
ユーザーより保存エリア確定の指示を受けた場合（Ｓ５７０）、制御部１１は、ユーザ
ーにより指定された保存エリアに対して、擬装コンテンツ情報を保存する（Ｓ５８０）。
ユーザーより保存エリア決定の指示を受け無かった場合（Ｓ５７０）、Ｓ５４０に移行し
、再度擬装コンテンツ情報作成画面を表示する。なお、本実施例ではＤＶＤメディア９１
より読み込んだ情報をもとに、擬装用サムネイル及び擬装コンテンツ情報を作成している
が、ＨＤＤ１３に予め記憶された映像情報、コンテンツ情報、或いは擬装コンテンツ情報
をもとに、擬装用サムネイル及び擬装用詳細情報を作成し、それらをもとに擬装コンテン
ツ情報を作成することも可能である。
【００６４】
制御部１１は、Ｓ５８０で保存された擬装コンテンツ情報、およびＨＤＤ１３に記憶さ
れている擬装コンテンツ情報をもとに、擬装コンテンツ情報グループを作成するかどうか
の選択を、ユーザーに要求する（Ｓ５９０）。作成が指示されなかった場合、本処理を終
了する。作成が指示された場合、次の処理に移行する。
【００６５】
擬装コンテンツ情報作成画面では、例えばＨＤＤ１３より読み込んだ擬装コンテンツ情
報が複数表示されており、その中から任意の擬装コンテンツ情報を選択することが可能で
ある。ユーザーは選択した複数の擬装コンテンツ情報をグループ化し、擬装コンテンツ情
報グループを作成する。また、擬装コンテンツ情報グループの内容を編集することにより
、作成してもよい（Ｓ６００）。なお、通常は擬装コンテンツ情報グループはＤＶＤメデ
ィア９１と一対一の関係になっており、ＤＶＤメディア９１単位で擬装コンテンツ情報グ
ループが割り付けられる。
【００６６】
ユーザーにより擬装コンテンツ情報グループが作成されたことを検知した制御部１１は
、ユーザーに対して、作成した擬装コンテンツ情報グループを保存するかどうかの確認を
行う（Ｓ６１０）。保存しないと選択された場合、Ｓ６００に移行し、再度擬装コンテン
ツ情報グループ作成画面を表示する。保存することが選択された場合、制御部１１はユー
ザーに対して保存エリアの選択を要求する（Ｓ６２０）。これにより例えばユーザーは、
作成した擬装コンテンツ情報グループをＨＤＤ１３のコンテンツ情報記憶領域に記憶する
か、それとも擬装コンテンツ情報記憶領域に記憶するかを選択することが可能となる。
【００６７】
ユーザーより保存エリア確定の指示を受けた場合、制御部１１は、ユーザーにより指定
された保存エリアに対して、擬装コンテンツ情報グループを保存して本処理を終了する（
Ｓ６３０）。ユーザーより保存エリア決定の指示を受け無かった場合、Ｓ６００に移行し
、再度擬装コンテンツ情報グループ作成画面を表示する。
〈４．本発明の種々ある特徴について〉
本実施形態によると、ユーザーよりコンテンツ情報表示指示を受けた場合に、ＤＶＤ搭
載ＨＤＤレコーダ１の設定情報を参照し、コンテンツ情報擬装フラグのＯＮ／ＯＦＦの状
態を確認し（Ｓ１３０）擬装フラグがＯＦＦに設定されている場合、通常通りのコンテン
ツ情報表示を行う（Ｓ１３５）。擬装フラグがＯＮに設定されていた場合、ＨＤＤ１３に
ユーザーが作成した擬装コンテンツ情報が記憶されているかどうかを確認し（Ｓ１４０）
、記憶されている場合は記憶されているユーザー作成擬装コンテンツ情報を、記憶されて
いない場合は、デフォルトの（工場出荷時にＨＤＤ１３に記憶されている）擬装コンテン
ツ情報を用いて、コンテンツ情報の擬装表示処理を行う（Ｓ１６０）。
【００６８】
これにより、コンテンツ情報が他ユーザーに知られたくない場合に、擬装コンテンツ情
報を用いて、擬装が行われていることを認識されることなく、コンテンツ情報の漏洩を防
ぎ、個人情報の保護を行うことが可能である。
【００６９】
また本実施形態によると、ユーザーは擬装コンテンツ情報作成画面において、擬装コン
テンツ情報及び擬装コンテンツ情報グループの作成処理を行うことが可能である。擬装コ
ンテンツ情報作成画面では、ＤＶＤメディア９１より読み取ったデータを元に擬装用サム
ネイルを作成し、擬装用サムネイルに虚偽の録画情報（擬装用詳細情報）を付加すること
により、擬装コンテンツ情報を作成することが可能である。作成された擬装コンテンツ情
報はＨＤＤ１３に保存され（Ｓ５８０）、コンテンツ情報表示処理において、擬装コンテ
ンツ情報として使用することが可能である。
【００７０】
これにより、ユーザーは擬装コンテンツ情報をＤＶＤメディア９１に記憶する必要がな
い。このため、例えば書き込みが不可能なＤＶＤメディア９１においても、擬装表示を行
うことが可能である。また例えば、ＤＶＤメディア９１の数が１００枚を越えるような膨
大な数である場合においても、一つ一つのＤＶＤメディア９１に対して擬装処理を施す必
要がない。擬装の実施、未実施の選択はＤＶＤ搭載ＨＤＤレコーダ１側の設定により行う
ため、ユーザーにとって少ない作業量でコンテンツ情報の擬装を行うことができるため、
利便性が向上する。
【００７１】
また本実施形態によると、作成された複数の擬装コンテンツ情報を指定することにより
、ＤＶＤメディア９１単位で使用する擬装コンテンツ情報である擬装コンテンツ情報グル
ープを作成することが可能である（Ｓ６００）。作成された擬装コンテンツ情報はＨＤＤ
１３に保存され（Ｓ６３０）、ストアデータへの擬装コンテンツ情報グループ割り付け処
理において使用することが可能である。
【００７２】
これにより、ユーザーは擬装コンテンツ情報をＤＶＤメディア９１単位で作成すること
が可能である。ＤＶＤメディア単位で擬装内容を指定できるため、一つのＤＶＤメディア
に使用する擬装コンテンツ情報を特定のジャンルに限定すること等が可能であるため、他
ユーザーから閲覧されても、より擬装が発覚しにくい擬装情報を表示することが可能であ
る。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００７３】
例えば前述した実施形態の機能を実現するソフトウェアのプログラムコードを記録した
記憶媒体を、ＤＶＤ搭載ＨＤＤレコーダ１に供給し、そのＤＶＤ搭載ＨＤＤレコーダ１内
のコンピュータ（例えばＣＰＵ）が記憶媒体に格納されたプログラムコードを読出し実行
することによっても、達成されることは言うまでもない。
【００７４】
この場合、記憶媒体から読出されたプログラムコード自体が、前述した実施形態の機能
を実現することになり、そのプログラムコードを記憶した記憶媒体は本発明を構成するこ
とになる。
【００７５】
なお、プログラムコードを供給するための記憶媒体としては、例えば、フロッピディス
ク、ハードディスク、光ディスク、光磁気ディスク、ＣＤ−ＲＯＭ、ＣＤ−Ｒ、磁気テー
プ、不揮発性のメモリカード、ＲＯＭなどを用いることができる。
【００７６】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００７７】
さらに、記憶媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００７８】
また、本発明の映像情報処理方法が、ＤＶＤ搭載ＨＤＤレコーダ以外の、ＤＶＤおよび
ＨＤＤを搭載した記録再生装置において用いられたとしても、同様の効果がえられること
は言うまでもない。なお、ＤＶＤとＨＤＤの両方を搭載した記録再生装置としては、ビデ
オテープレコーダ（ＶＴＲ）、ＤＶレコーダ、デジタルビデオカメラ、パソコン等が考え
られる。
【図面の簡単な説明】
【００７９】
【図１】本発明のＤＶＤ搭載ＨＤＤレコーダによる擬装コンテンツ情報表示処理の処理フロー図である。
【図２】本発明のＤＶＤ搭載ＨＤＤレコーダによる擬装コンテンツ情報表示処理の処理フロー図である。
【図３】本発明のＤＶＤ搭載ＨＤＤレコーダによる擬装コンテンツ情報作成処理の処理フロー図である。
【図４】本発明のＤＶＤ搭載ＨＤＤレコーダ内部の要部構成を示したブロック図である。
【図５】本発明のＤＶＤ搭載ＨＤＤレコーダにおけるコンテンツ情報表示画面の一例を示した画面図である。
【図６】本発明のＤＶＤ搭載ＨＤＤレコーダにおけるストアデータ管理テーブルを示したテーブル図である。
【図７】本発明のＤＶＤ搭載ＨＤＤレコーダにおける割り付け情報管理テーブルを示したテーブル図である。
【図８】本発明のＤＶＤ搭載ＨＤＤレコーダにおけるシャッフル用擬装コンテンツ情報グループの管理テーブルを示したテーブル図である。
【符号の説明】
【００８０】
１      ＤＶＤ搭載ＨＤＤレコーダ（外部記録媒体再生機能付き記録再生装置）
１１    制御部
１２    メモリ
１３    ＨＤＤ（記憶部）
１４    データ入力部
１５    エンコーダ部
１６    デコーダ部
１７    データ出力部
２３    ＤＶＤスロット
９１    ＤＶＤメディア（光学記録媒体）
【図１】
2007058922.tif 000003
【図２】
2007058922.tif 000004
【図３】
2007058922.tif 000005
【図４】
2007058922.tif 000006
【図５】
2007058922.tif 000007
【図６】
2007058922.tif 000008
【図７】
2007058922.tif 000009
【図８】
2007058922.tif 000010